(57)【特許請求の範囲】
【請求項１】
導体からなるヒータに固定マグネットとバイメタルとが一体に固着されケースに固定されるヒータ組立体と、
上記固定マグネットに対向する可動片を有し回動可能に軸支されるアーマチュアと、
このアーマチュアに固定して取り付けられこのアーマチュアの可動片が上記固定マグネットから遠ざかるように付勢する復帰スプリングとを備えた回路遮断器の過電流引きはずし装置において、
上記アーマチュアは上記復帰スプリングの一方の足を掛け止めする第一のばね掛け部と回動可能に軸支される前に上記スプリングの他方の足を仮止めする第二のばね掛け部とを備え、
上記アーマチュアを回動可能に軸支したとき上記他方の足が突起部に係合して仮止めから解除されることを特徴とする回路遮断器の過電流引きはずし装置。
【請求項２】
導体からなるヒータに固定マグネットとバイメタルとが一体に固着され回路遮断器のケースに固定されるヒータ組立体と、
上記固定マグネットに対向する可動片と一対の腕部を有しこの腕部が上記ケースの溝部に挿嵌されて回動可能に軸支されるアーマチュアと、
このアーマチュアと上記固定マグネットに係合して上記アーマチュアの可動片が上記固定マグネットから遠ざかるように付勢する復帰スプリングとを備えた回路遮断器の過電流引きはずし装置において、
上記アーマチュアは上記復帰スプリングのコイル部を挿入する軸部と、
上記復帰スプリングの一方の足を掛け止めする第一のばね掛け部と、
上記スプリングの他方の足を仮止めする第二のばね掛け部とを備え、
上記固定マグネットは上記アーマチュアの腕部を上記ケースの溝部に挿嵌したときに上記他方の足を押圧して上記第二のばね掛け部との仮止めから解除させる突起部と、
解除された上記他方の足を所定の位置に保持するばね掛け部フックとを備えたことを特徴とする回路遮断器の過電流引きはずし装置。
【請求項３】
復帰スプリングの他方の足に係合する突起部の接触面を斜面にしたことを特徴とする請求項１または請求項２記載の回路遮断器の過電流引きはずし装置。
【請求項４】
復帰スプリング他方の足を折り曲げ形状にしたことを特徴とする請求項１から請求項３のいずれか１項記載の回路遮断器の過電流引きはずし装置。
【請求項５】
復帰スプリングのコイル部をテーパー形状にすると共にアーマチュアの軸部を上記コイル部に内接するテーパー形状にしたことを特徴とする請求項１から請求項４のいずれか１項に記載の回路遮断器の過電流引きはずし装置。
【発明の詳細な説明】
【０００１】
【発明の属する技術分野】
この発明は、配線用回路遮断器などに組み込まれる熱動―電磁形の過電流引きはずし装置に関する。
【０００２】
【従来の技術】
図６は、例えば、特開２０００−２３１８７０号公報に示された従来の回路遮断器の過電流引きはずし装置の要部斜視図である。図７（ａ）は図６の分解斜視図、（ｂ）はアーマチュアに復帰スプリングを仮止めした状態図である。
【０００３】
図６及び図７において、１は導体からなるヒータ２に略Ｕ字形状の固定マグネット３、及びバイメタル４が付番しないリベットにより一体的に固着されたヒータ組立体、５は固定マグネット３の磁極３ａに対向して配設される可動片５ａを備え可動片５ａの上方に左右に突出してケース６に配設された一対の溝部６ａに挿嵌されて回動可能に軸支されるアーマチュア、６ｂはケース６に設けられたストッパ、７はアーマチュア５と固定マグネット３に係合してアーマチュア５を付勢する復帰スプリング、８はヒータ組立体１をケース６に固定する締付けねじである。
【０００４】
なお、アーマチュア５は復帰スプリング７のコイル部７ａが挿入される軸部５ｃ、復帰スプリング７の一方の足７ｂを掛け止めする第一のばね掛け部５ｄ、及び他方の足７ｃを仮止めする第二のばね掛け部５ｅを備え、固定マグネット３は上部位置に復帰スプリング７の他方の足７ｃを保持するばね掛け部フック３ｂを備えている。
【０００５】
次に、以上のように形成された従来の回路遮断器の過電流引きはずし装置を回路遮断器に組込む方法について説明する。
（１）ヒータ組立体１をケース６に締付けねじ８で固定する。
（２）アーマチュア５の軸部５ｃに復帰スプリング７のコイル部７ａを挿入する。
【０００６】
（３）アーマチュア５の第一のばね掛け部５ｄに復帰スプリング７の一方の足７ｂを掛け止めし、第二のばね掛け部５ｅに他方の足７ｃを仮止め（図７（ｂ））する。
（４）アーマチュア５の両側の腕５ｂをケース６の溝部６ａに挿嵌する。
（５）復帰スプリング７の他方の足７ｃを図７（ｂ）紙面手前に引っ張って、第二のばね掛け部５ｅから開放する。
【０００７】
（６）以上の結果、復帰スプリング７の他方の足７ｃは固定マグネット３の上部位置に配設されたばね掛け部フック３ｂに保持され、アーマチュア５は復帰スプリング７の付勢力を受け、ケース６の溝部６ａに回動可能に軸支されると共に、ケース６に設けられたストッパ６ｂに当接し、過電流引きはずし装置はケース６に収納（図６）される。
【０００８】
【発明が解決しようとする課題】
従来の回路遮断器の過電流引きはずし装置は以上のように形成されているので、アーマチュア５、及び復帰スプリング７の組込み作業において、復帰スプリング７をアーマチュア５に仮止めした状態でケース６に挿入し、その後、復帰スプリング７の他方の足７ｃの仮止めを第二のばね掛け部５ｅから外すという作業が必要であり、他方の足７ｃが奥まつた位置にあるため、仮止めした他方の足７ｃを第二のばね掛け部７ｅから外す作業が非常に困難であった。
【０００９】
この発明は、かかる問題点を解決するためになされたものであり、組込みが容易にできる回路遮断器の過電流引きはずし装置を得ることを目的としている。
【００１０】
【課題を解決するための手段】
この発明に係わる回路遮断器の過電流引きはずし装置は、導体からなるヒータに固定マグネットとバイメタルとが一体に固着されケースに固定されるヒータ組立体と、上記固定マグネットに対向する可動片を有し回動可能に軸支されるアーマチュアと、このアーマチュアに固定して取り付けられこのアーマチュアの可動片が上記固定マグネットから遠ざかるように付勢する復帰スプリングとを備えた回路遮断器の過電流引きはずし装置において、上記アーマチュアは上記復帰スプリングの一方の足を掛け止めする第一のばね掛け部と回動可能に軸支される前に上記スプリングの他方の足を仮止めする第二のばね掛け部とを備え、上記アーマチュアを回動可能に軸支したとき上記他方の足が突起部に係合して仮止めから解除されるものである。
【００１１】
また、導体からなるヒータに固定マグネットとバイメタルとが一体に固着され回路遮断器のケースに固定されるヒータ組立体と、上記固定マグネットに対向する可動片と一対の腕部を有しこの腕部が上記ケースの溝部に挿嵌されて回動可能に軸支されるアーマチュアと、このアーマチュアと上記固定マグネットに係合して上記アーマチュアの可動片が上記固定マグネットから遠ざかるように付勢する復帰スプリングとを備えた回路遮断器の過電流引きはずし装置において、上記アーマチュアは上記復帰スプリングのコイル部を挿入する軸部と、上記復帰スプリングの一方の足を掛け止めする第一のばね掛け部と、上記スプリングの他方の足を仮止めする第二のばね掛け部とを備え、上記固定マグネットは上記アーマチュアの腕部を上記ケースの溝部に挿嵌したときに上記他方の足を押圧して上記第二のばね掛け部との仮止めから解除させる突起部と、解除された上記他方の足を所定の位置に保持するばね掛け部フックとを備えたものである。
【００１２】
また、復帰スプリングの他方の足に係合する突起部の接触面を斜面にしたものである。
【００１３】
また、復帰スプリング他方の足を折り曲げ形状にしたことものである。
【００１４】
また、復帰スプリングのコイル部をテーパー形状にすると共にアーマチュアの軸部を上記コイル部に内接するテーパー形状にしたものである。
【００１５】
【発明の実施の形態】
実施の形態１．
図１は、この発明の実施の形態１における回路遮断器の過電流引きはずし装置の要部斜視図である。図２は図１の過電流引きはずし装置の分解斜視図である。図３は図１に示す過電流引きはずし装置を組込んだ回路遮断器の断面斜視図である。図４は図１に示す固定マグネット、アーマチュア、及び復帰スプリングを裏面から見た分解斜視図で、（ａ）はアーマチュアに復帰スプリングを仮止めした状態、（ｂ）は固定マグネット、（ｃ）は組立状態を示す。
【００１６】
図１、２及び４において、１１は導体からなるヒータ１２に固定マグネット１３と板状の熱動素子であるバイメタル１４をリベット１５により固着したヒータ組立体で、ヒータ１２は負荷側端子部１２ａ（図２に示す）、固定マグネット１３とバイメタル１４間に挟持されてバイメタル１４を加熱するヒータ部１２ｂ（図２に示す）、及びヒータ組立体１１をケース１７に固定させるためのタップ部１２ｃ（図２に示す）により形成されている。
【００１７】
また、固定マグネット１３は、例えば鉄板などの磁性材料で略Ｕ字形状に形成され、後述するアーマチュア１６に対向して配置される一対の磁極１３ａ（図２に示す）、後述する復帰スプリング１８の他方の足１８ｃがケース１０に組込まれる時に接触する斜面部１３ｃを有する突起部１３ｂ（図４に示す）、ケース１７に組込み後に復帰スプリング１８の他方の足１８ｃを保持するばね掛けフック１３ｄ（図４に示す）とを備えている。
【００１８】
１６は、固定マグネット１３に対向して配置される一対の可動片１６ａ（図２に示す）、この可動片１６ａのほぼ中央の下部に略Ｌ字形状に突出し後述の復帰スプリング１８の一方の足１８ｂを掛け止めする第一のばね掛け部１６ｂ、可動片１６ａの上部位置に左右に突出して後述するケース１７に配設された一対の溝部１７ａに挿嵌されて回動可能に軸支される一対の腕部１６ｃ、後述する復帰スプリング１８のコイル部１８ａが挿着される軸部１６ｄ、一対の腕部１６ｃのほぼ中央部から上方に延設されて回路遮断器の引きはずし動作時に後述するトリップバー２５ａ（図３に示す）を押圧する操作片１６ｅ、後述の復帰スプリング１８の他方の足１８ｃを仮止めする第二のばね掛け部１６ｆ（図４に示す）、とを備えたアーマチュアである。
【００１９】
１７は例えば、合成樹脂成型材料で形成され、アーマチュア１６の一対の腕部１６ｃが挿嵌される一対の溝部１７ａ（図１，２では、一方しか図示せず）、アーマチュア１６の可動片１６ａの回動を制限するストッパ１７ｂ、及び底部１７ｃとを備えたケースである。
【００２０】
１８はねじりコイルバネにより形成され、密着巻きされたコイル部１８ａ（図２に示す）、一方の足１８ｂ，他方の足１８ｃ、及び折り曲げ部１８ｄから成り、アーマチュア１６と固定マグネット１３間に係合して、アーマチュア１６の可動片１６ａを固定マグネット１３の磁極１３ａから遠ざかるように付勢する復帰スプリングである。
【００２１】
上記のように形成した過電流引きはずし装置が組込まれた回路遮断器を示す図３において、１９は例えば、合成樹脂成型材料で形成され、ケース１７を上面から覆うカバー、２０は電源側端子、２１はケース１７に固定された固定接触子、２２は固定接触子２１に接離する可動接触子、２３及び２４は可動接触子２２とヒータ組立体１１間を電気的に接続する可動子ホルダー、及び接続導体、２５はトリップバー２５ａを備えた開閉機構部、２６はヒータ組立体１１をケース１７に締付け固定する締付けねじである。
【００２２】
次に、上記のように構成されたこの発明の実施の形態１における回路遮断器の過電流引きはずし装置を回路遮断器に組込む方法について、図２〜図４を用いて説明する。
【００２３】
（１）ケース１７にヒータ組立体１１を挿入し、ヒータ１２のタップ部１２ｃとケース１７の底部１７ｃとの間に接続導体２４を挟んで、ケース１７の裏側（図３の下方向）から締付けねじ２６で固定する。
【００２４】
（２）アーマチュア１６の軸部１６ｄに復帰スプリング１８のコイル部１８ａを矢印Ａ方向（図２に示す）に挿入し、復帰スプリング１８の一方の足１８ｂをアーマチュア１６の第一のばね掛け部１６ｂに掛け止めすると共に、他方の足１８ｃを第二のばね掛け部１６ｆに仮止めする。（図４（ａ））
【００２５】
（３）（２）により形成した復帰スプリング１８を装着したアーマチュア１６の一対の腕部１６ｃをケース１７に形成された一対の溝部１７ａの矢印Ｂ方向（図２及び図４に示す）に挿嵌する。
【００２６】
（４）アーマチュア１６の第二のばね掛け部１６ｆに仮止めされていた復帰スプリング１８の他方の足１８ｃの折り曲げ部１８ｄが固定マグネット１３に設けられた突起部１３ｂの斜面部１３ｃによって押圧されることにより、他方の足１８ｃが矢印Ｃ方向（図４に示す）に変形し、第二のばね掛け部１６ｆに仮止めされていた復帰スプリング１８の他方の足１８ｃは第二のばね掛け部１６ｆから外れる。
【００２７】
（５）第二のばね掛け部１６ｆから外れた復帰スプリング１８の他方の足１８ｃは固定マグネット１３に設けられたばね掛け部フック１３ｄに当接して、保持（図４（ｃ））される。
（６）アーマチュア１６は腕部１６ｃがケース１７の溝部１７ａに回動可能に軸支された状態で復帰スプリング１８の付勢力を受け、ケース１７に配設されたストッパ１７ｂに当接して過電流引きはずし装置は回路遮断器の所定の取付け位置に収納（図１）される。
（７）カバー１９をケース１７の上面に被せて回路遮断器が完成（図３）する。
【００２８】
なお、アーマチュア１６をケース１７から取り外す場合は、アーマチュア１６の操作片１６ｅを矢印Ｄ方向（図１に示す）に引っ張るだけで、復帰スプリング１８の他方の足１８ｃが固定マグネット１３のばね掛けフック１３ｄから抜け出し、簡単にケース１７から取り外すことができる。
【００２９】
次に、以上のように構成された実施の形態１における回路遮断器の引きはずし動作について図１〜図３を用いて説明する。
（１）過負荷電流が電源側端子２０→固定接触子２１→可動接触子２２→可動子ホルダー２３→接続導体２４→タップ部１２ｃ→ヒータ部１２ｂ→負荷側端子１２ａの経路で通電される。
【００３０】
（２）ヒータ部１２ｂが電流通電によるジュール熱を発生し、バイメタル１４が加熱され、バイメタル１４の先端部１４ａが矢印Ｅ方向（図３に示す）に湾曲する。
（３）この湾曲により、バイメタル１４の先端部１４ａがトリップバー２５ａを押圧し、開閉機構部２５がトリップ動作を行なうことにより、可動接触子２２が固定接触子２１から開離し、電流を遮断する。
【００３１】
（４）同様にして、短絡電流等の大電流が流れると、この電流により発生した磁束により固定マグネット１３が磁化され、アーマチュア１６の可動片１６ａは磁極１３ａに瞬時に吸引されて、アーマチュア１６の操作片１６ｅは腕部１６ｃを支点として矢印Ｆ方向（図１に示す）に回動する。
（５）この回動により、アーマチュア１６の操作片１６ｅがトリップバー２５ａを押し、上述した工程と同様にして電流を遮断する。
【００３２】
以上のように、この発明の実施の形態１の回路遮断器の過電流引きはずし装置によれば、過電流引きはずし装置を回路遮断器に組込む作業において、ケース１７内の非常に狭いスペースにおいても復帰スプリング１８を仮止めしたアーマチュア１６の腕部１６ｃをケース１７の溝部１７ａに挿嵌するだけで、仮止めした復帰スプリング１８が固定マグネット１３の所定の位置に保持されるので過電流引きはずし装置の組込み作業を容易にすることができる。
【００３３】
なお、上記実施例ではアーマチュア１６の腕部１６ｃを回動可能に軸支する溝部１７ａをケース１７に配設したが、固定マグネット１３に配設しても良い。
【００３４】
また、上記実施例では復帰スプリング１８の他方の足１８ｃを押圧して第二のばね掛け部１６ｆから仮止めを解除させる突起部１３ｂ、及びばね掛けフック１３ｄを固定マグネット１３に設けたがケース１７に設けても良い。
【００３５】
さらにまた、上記実施例ではヒータ組立体１１、アーマチュア１６及び復帰スプリング１８により形成された１極の過電流引きはずし装置を回路遮断器のケース１７に組込む構造にしたが、複数極の過電流引きはずし装置を収納すると共に夫々に溝部１７ａを配設したサブケースを追加し、このサブケースに収納させた過電流引きはずし装置をユニットとして形成させて、ケース１７に組込むようにしても良い。
【００３６】
実施の形態２．
図５は、この発明の実施の形態２における回路遮断器の過電流引きはずし装置のアーマチュアと復帰スプリングの分解斜視図である。
図において、１６０はアーマチュア、１８０は復帰スプリングで、復帰スプリング１８０のコイル部１８０ａはテーパー形状を成しており、コイル部１８０ａが挿入されるアーマチュア１６０の軸部１６０ｄはコイル部１８０ａに内接するテーパー形状を形成している。
【００３７】
以上のように形成された回路遮断器の過電流引きはずし装置は上述した実施の形態１と同様に組込まれるが、復帰スプリング１８０のコイル部１８０ａをアーマチュア１６０の軸部１６０ｄに挿入するとき、コイル部１８０ａの挿入部の寸法が軸部１６０ｄの寸法より大きく形成されているので、挿入作業が容易である。また、過電流による引きはずし動作において、アーマチュア１６０の軸部１６０ｄがコイル部１８０ａに内接しているので、アーマチュア１６０の回動動作が滑らかで、引きはずしが確実に行なわれる。
【００３８】
【発明の効果】
この発明は、以上説明したように構成されているので、以下に記載されるような効果を奏する。
【００３９】
請求項１の発明によれば、アーマチュアを回動可能に軸支したとき復帰スプリングが突起部に係合して仮止めから解除されので、過電流引きはずし装置を容易に所定の取付け位置に組込むことができる。
【００４０】
請求項２の発明によれば、アーマチュアに復帰スプリングのコイル部を挿入する軸部と、復帰スプリングの一方の足を掛け止めする第一のばね掛け部と、他方の足を掛け止めする第二のばね掛け部とを備え、固定マグネットにアーマチュアの腕部をケースの溝部に挿嵌したときに他方の足を押圧して上記第二のばね掛け部との掛け止めから解除させる突起部と、解除された他方の足を所定の位置に保持するばね掛け部フックとを備えることにより、復帰スプリングを仮止めしたアーマチュアをケースの溝部に挿嵌すると復帰スプリングが仮止めから解除されるので、過電流引きはずし装置を容易に回路遮断器のケース内の所定の取付け位置に組込むことができる。
また、従来のように復帰スプリングの他方の足を開放させる作業工程を必要としないので自動組立も可能である。
【００４１】
請求項３の発明によれば、アーマチュアをケースに挿入する際に、復帰スプリングの他方の足に係合する突起部の接触面を斜面にしたので、他方の足が第二のばね掛け部から滑らかに解除される。
【００４２】
請求項４の発明によれば、復帰スプリング他方の足を折り曲げ形状にしたので、突起部との接触面が広く、他方の足が第二のばね掛け部から確実に解除される。
【００４３】
請求項５の発明によれば、復帰スプリングのコイル部をテーパー形状にすると共にアーマチュアの軸部を上記コイル部に内接するテーパー形状にしたので、復帰スプリングのコイル部をアーマチュアの軸部に挿嵌するとき、コイル部の挿入部の寸法が軸部の寸法より大きく形成されているので、挿入作業が容易である。また、過電流による引きはずし動作において、アーマチュアの軸部がコイル部に内接しているので、アーマチュアの回動動作が滑らかで、引きはずしが確実に行なわれる。
【図面の簡単な説明】
【図１】  この発明の実施の形態１における回路遮断器の過電流引きはずし装置の要部斜視図である。
【図２】  図１に示す過電流引きはずし装置の組立斜視図である。
【図３】  図１に示す過電流引きはずし装置を組込んだ回路遮断器の断面図である。
【図４】  図１に示す過電流引きはずし装置のアーマチュア、復帰スプリング及び固定マグネットを示す分解斜視図である。
【図５】  この発明の実施の形態２における回路遮断器の過電流引きはずし装置のアーマチュアと復帰スプリングの分解斜視図である。
【図６】  従来の回路遮断器の過電流引きはずし装置の要部斜視図である。
【図７】  図６に示す過電流引きはずし装置の分解斜視図である。
【符号の説明】
１１  ヒータ組立体、１２  ヒータ、１３  固定マグネット、１３ａ  磁極、
１３ｂ  突起部、１３ｃ  傾斜部、１３ｄ  ばね掛け部フック、
１４  バイメタル、１４ａ  先端部、１６，１６０  アーマチュア、
１６ａ  可動片、１６ｂ  第一のばね掛け部、１６ｃ  腕部、
１６ｄ，１６０ｄ  軸部、１６ｅ  操作片、１６ｆ  第二のばね掛け部、
１７  ケース、１７ａ  溝部、１８，１８０  復帰スプリング、
１８ａ，１８０ａ  コイル部、１８ｂ  一方の足、１８ｃ  他方の足、
１８ｄ  折り曲げ部。
【図１】
0004487429.tif 000002
【図２】
0004487429.tif 000003
【図３】
0004487429.tif 000004
【図４】
0004487429.tif 000005
【図５】
0004487429.tif 000006
【図６】
0004487429.tif 000007
【図７】
0004487429.tif 000008